(57)【要約】２個のＤＭＳトラック（ＳＰ１，ＳＰ２）を備えるＳＡＷフィルタにおいて，各ＤＭＳトラックは，それぞれ６個の変換器（Ｗ１１，Ｗ１２，Ｗ１３，Ｗ１４，Ｗ１５，Ｗ１６，Ｗ２１，Ｗ２２，Ｗ２３，Ｗ２４，Ｗ２５，Ｗ２６）を備え，これら変換器のうちの各２個（Ｗ１１，Ｗ１５，Ｗ２１，Ｗ２５）が入力変換器又は出力変換器として機能する。両ＤＭＳトラックは，４対の接続変換器（Ｗ１１，Ｗ１３，Ｗ１４，Ｗ１６，Ｗ２１，Ｗ２３，Ｗ２４，Ｗ２６）及び関連する接続ラインにより，電気的に直列接続されている。両ＤＭＳトラック（ＳＰ１，ＳＰ２）の間には，ＤＭＳトラックの全長に亘って延在すると共に接続ラインと交差する共通内側グランドラインが配置されている。第１ＤＭＳトラックの入力変換器（Ｗ１２，Ｗ１５）は不平衡ポート（Ｐ１）に接続し，第２ＤＭＳトラックの出力変換器（Ｗ２２，Ｗ２５）は平衡ポート（Ｐ２）に接続する。【選択図】図１
2013526808.tif 000002
【特許請求の範囲】
【請求項１】
次の構成要件を備えるＳＡＷフィルタ。
・平衡ポート（Ｐ２）及び不平衡ポート（Ｐ１）を備えること。
・２個の入力変換器（Ｗ１２，Ｗ１５）が配置され，前記不平衡ポート（Ｐ１）に接続された第１ＤＭＳトラック（ＳＰ１）を備えること。
・該第１ＤＭＳトラックに対して幾何学的に平行に配置された第２ＤＭＳトラック（ＳＰ２）を備え，該第２ＤＭＳトラックにおいて２個の出力変換器（Ｗ２２，Ｗ２５）が前記平衡ポート（Ｐ２）の２個の端子と接続すること。
・前記第１ＤＭＳトラック及び第２ＤＭＳトラックが，それぞれ４個の接続変換器（Ｗ１１，Ｗ１３，Ｗ４，Ｗ１６；Ｗ２１，Ｗ２３，Ｗ２４，Ｗ２６）を備えること。
・４本の接続ライン（ＫＬ１，ＫＬ２，ＫＬ３，ＫＬ４）を備え，各接続ラインが前記第１ＤＭＳトラック（ＳＰ１）及び第２ＤＭＳトラック（ＳＰ２）の各１個の接続変換器を互いに接続することで両ＤＭＳトラックを電気的に直列接続すること。
・各ＤＭＳトラックの変換器が，それぞれのＤＭＳトラックを限定する各２個の端部反射器（Ｒ１１，Ｒ１３，Ｒ２１，Ｒ２３）の間に配置されること。
・入力変換器のグランド端子が前記第２ＤＭＳトラック（ＳＰ２）側を向き，両ＤＭＳトラック間で共通内側グランドライン（ＧＩＬ）と接続し，該共通内側グランドライン（ＧＩＬ）が，両ＤＭＳトラック間に配置され，かつ，両端部でグランド端子（ＭＰ１，ＭＰ２）のそれぞれと接続すること。
・前記第２ＤＭＳトラック（ＳＰ２）において，出力変換器（Ｗ２２，Ｗ２５）のグランド端子が前記第１ＤＭＳトラック（ＳＰ１）側を向き，前記両方のＤＭＳトラック間に配置されたポテンシャルフリーの第２内側ライン（ＩＬ２）と接続すること。
・前記共通内側グランドライン及び前記第２内側ライン（ＩＬ２）が前記接続ライン（ＫＬ）と交差し，前記共通内側グランドライン（ＧＩＬ）と，前記第２内側ライン及び前記接続ライン（ＫＬ）との間にその交差域で誘電体（Ｄ１，Ｄ２，Ｄ３，Ｄ４）がそれぞれ配置されること。
【請求項２】
請求項１に記載のフィルタであって，両ＤＭＳトラック（ＳＰ１，ＳＰ２）のそれぞれに中央反射器（Ｒ１２，Ｒ２２）が配置され，該中央反射器が各ＤＭＳトラックを２個の半トラック部に分割し，各半トラック部が少なくとも３個の変換器を備えるフィルタ。
【請求項３】
請求項１又は２に記載のフィルタであって，両ＤＭＳトラックの各半トラック部において，２個の接続変換器の間に入力変換器又は出力変換器が配置されているフィルタ。
【請求項４】
請求項１〜３の何れか一項に記載のフィルタであって，前記第１ＤＭＳトラック（ＳＰ１）における両方の内側接続変換器のグランド端子が，前記第２ＤＭＳトラック（ＳＰ２）から離れて前記不平衡ポート（Ｐ１）に向けて延在し，そこで第１中央ライン（ＭＬ１）によって互いに接続し，該第１中央ライン（ＭＬ１）は更に外側のグランドポテンシャル（ＭＰ）と接続するフィルタ。
【請求項５】
請求項１〜４の何れか一項に記載のフィルタであって，前記第２ＤＭＳトラック（ＳＰ２）の両方の内側接続変換器（Ｗ２３，Ｗ２４）のグランド端子が，前記第１ＤＭＳトラック（ＳＰ１）から離れ，前記平衡ポート（Ｐ２）側を向き，そこで第２中央ライン（ＭＬ２）によって互いに接続するフィルタ。
【請求項６】
請求項１〜５の何れか一項に記載のフィルタであって，前記第１ＤＭＳトラック（ＳＰ１）の前記中央反射器（Ｒ１２）が，前記共通内側グランドライン（ＧＩＬ）及び前記第１中央ライン（ＭＬ１）と接続するフィルタ。
【請求項７】
請求項１〜６の何れか一項に記載のフィルタであって，前記第１及び第２ＤＭＳトラック上の接続変換器が一様でない数の電極指を有し，両方の外側の指は，グランドポテンシャル又は基準ポテンシャル上にあるフィルタ。
【請求項８】
請求項１〜７の何れか一項に記載のフィルタであって，前記第１ＤＭＳトラック（ＳＰ１）の前記変換器は，前記４本の接続ライン（ＫＬ）が，配置順に交互に逆位相となって機能するよう指端子配列を配置するフィルタ。
【請求項９】
請求項１〜８の何れか一項に記載のフィルタであって，前記第１ＤＭＳトラック（ＳＰ１）における両方の外側接続変換器（Ｗ１１，Ｗ１６）と，前記第２ＤＭＳトラック（ＳＰ２）における両方の外側接続変換器（Ｗ２１，Ｗ２６）とが，両方の前記端部反射器（Ｒ１１，Ｒ１３，Ｒ２１，Ｒ２３）の周囲を回り，２本の外側グランドライン（ＭＬＡ１，ＭＬＡ２）を経て，両方のグランド端子（ＭＰ１，ＭＰ２）又は前記共通内側グランドライン（ＧＩＬ）と接続するフィルタ。
【請求項１０】
請求項１〜８の何れか一項に記載のフィルタであって，両ＤＭＳトラックのグランド端子が，圧電基板上で電気的に遮断されているフィルタ。
【請求項１１】
請求項１〜１０の何れか一項に記載のフィルタであって，前記第２ＤＭＳトラック（ＳＰ２）において，前記中央反射器（Ｒ２２）は前記第２中央ライン（ＭＬ２）を介して，前記内側接続変換器（Ｗ２３，Ｗ２４）の両者と接続するフィルタ。
【請求項１２】
請求項１〜１１の何れか一項に記載のフィルタであって，前記第２中央ライン（ＭＬ２）はグランドポテンシャルと接続するフィルタ。
【請求項１３】
請求項１〜１２の何れか一項に記載のフィルタであって，互いに接続する接続変換器の電極指の本数が等しいフィルタ。
【請求項１４】
請求項１〜１３の何れか一項に記載のフィルタであって，それぞれのＤＭＳトラックの内側接続変換器における変換指の本数が，他の変換器における変換指の本数より少ないフィルタ。
【請求項１５】
請求項１〜１４の何れか一項に記載のフィルタであって，前記出力変換器（Ｗ２２，Ｗ２５）における変換指の本数が，前記入力変換器（Ｗ１２，Ｗ１５）における変換指の本数よりも多いフィルタ。
【請求項１６】
請求項１〜１５の何れか一項に記載のフィルタであって，前記端部反射器，前記中央反射器及び変換器のグループの素子のうちには，それぞれが隣り合う素子に対して移行域を備える素子もあり，該移行域においては，反射ストライプ又は変換器指の大部分が互いに間隔を空けて配置され，及び／又はそれぞれの素子の他の反射ストライプ又は電極指の幅とは異なる幅を有するフィルタ。
【請求項１７】
請求項１６に記載のフィルタであって，端部反射器と該端部反射器と直に隣り合う変換器との間の移行部において，少なくとも一つの素子に対して移行域が形成され，該移行域においては幅，及び／又は反射ストライプ又は電極指の間隔が，移行域に配置されていない該素子の他の領域と比較して大きくなっているフィルタ。
【請求項１８】
請求項１６又は１７に記載のフィルタであって，２個の直に隣り合う変換器の間の移行部において，１個の変換器又は両方の変換器が移行域を備え，該移行域においては反射ストライプ又は変換器指の大部分が指間隔を示し，該指間隔の間隔又は幅は，移行域以外に配置されたこの種の変換器の通常の幅よりも狭くなっているフィルタ。
【請求項１９】
請求項１６〜１８の何れか一項に記載のフィルタであって，前記ＤＭＳトラック内部において，異なる移行域が異なる配置で構成され，少なくとも，前記半トラック部それぞれの全体にわたって非対称に分散配置されているフィルタ。
【請求項２０】
請求項１〜１９の何れか一項に記載のフィルタであって，グランドライン及び接続ラインを含む前記の全てのラインのそれぞれが，圧電チップ上のメタライジングとして構成されるフィルタ。
【請求項２１】
請求項２０に記載のフィルタであって，前記ライン，前記グランドライン及び前記接続ラインが，異なる２層のメタライジング層のうちの１層の内部に圧電チップ上で構成されるか，又は両方のメタライジング層を含むかするフィルタ。
【請求項２２】
請求項１〜２１の何れか一項に記載のフィルタであって，前記第１ポートが２極直列素子によってアンテナ端子と接続し，該２極素子は通過帯域の下部でキャパシタとして機能するフィルタ。
【請求項２３】
請求項２２に記載のフィルタであって，前記２極素子は，インターデジタル構成で圧電チップ上に配置されるフィルタ。
【請求項２４】
請求項２２又は２３に記載のフィルタであって，前記アンテナ端子が，基準ポテンシャル又はグランドに対して接続するトラックと並列に接続するフィルタ。
【請求項２５】
請求項１〜２４の何れか一項に記載のフィルタを，デュプレクサのＲＸフィルタとするフィルタの使用方法。
【発明の詳細な説明】
【技術分野】
【０００１】
ＳＡＷフィルタを受信フィルタとして使用するには，しばしば不平衡入力部と平衡出力部が必要となり，これにより不平衡アンテナ端子と平衡信号処理回路を有するトランシーバＩＣとの間にバランを追加する必要がなくなる。このような受信フィルタは，不平衡／不平衡作動型の更なるフィルタと共にデュプレクサに相互接続することが可能である。しかしながら，平衡／平衡作動型フィルタをバランに接続すると，入力部及び出力部での接続が同様に平衡／不平衡型として作動する可能性がある。
【背景技術】
【０００２】
デュプレクサにおいては，受信フィルタに更なる要件が求められる。例えば，送信フィルタと受信フィルタの間では６０ｄＢよりも高いコモンモードアイソレーション特性や，送信バンドにおいて６０ｄＢを超える高い差動モードアイソレーション特性が要求される。また，一般的にフィルタの製造コストをできるだけ削減することや，挿入損失を可及的に低減して実装することも求められる。更に，平衡出力部において平衡性が高いことも求められ，散乱も最小限とする必要がある。
【０００３】
米国特許第７３６９０１５号明細書は，２個のＤＭＳトラックを直列接続した平衡／不平衡作動型ＳＡＷを開示している。更に既知の受信フィルタは，ラダー型フィルタと単一トラック型ＤＭＳフィルタを用いている。これらの回路の短所は，アイソレーションレベルが十分でないこと，並びに広いチップ面積を必要とすることである。
【先行技術文献】
【特許文献】
【０００４】
【特許文献１】米国特許第７３６９０１５号明細書
【発明の概要】
【発明が解決しようとする課題】
【０００５】
本発明の課題は，受信フィルタに適したＳＡＷフィルタとして，デュプレクサ内におけるＲＸフィルタに関する前記要件を満足し，所要チップ面積及び挿入損失を低減してアイソレーション特性を向上させたＳＡＷフィルタを提供することである。
【課題を解決するための手段】
【０００６】
この課題は，請求項１に記載した特徴を備えたＳＡＷフィルタにより解決される。また，本発明の好ましい実施形態は，従属請求項に記載したとおりである。
【０００７】
本発明は，互いに直列接続する２個のＤＭＳトラックを備えたＳＡＷフィルタを提案する。第１ＤＭＳトラックは２個の入力変換器によって不平衡ポートと接続する。しかし，より多数の入力変換器，特に平衡性の観点から常に偶数個の入力変換器を備えることも可能である。
【０００８】
第２ＤＭＳトラックは，第１ＤＭＳトラックと幾何学的に平行に配置する。第２ＤＭＳトラック上には出力変換器を２個配置し，該出力変換器の両方の端子は平衡ポートと接続する。
【０００９】
第１及び第２ＤＭＳトラックはそれぞれ４個の接続変換器を備え，両ＤＭＳトラックにおける各１個ずつの接続変換器は接続ラインにより互いに接続される。
【００１０】
各ＤＭＳトラックにおいて，各ＤＭＳトラックを規定するそれぞれ２個の端部反射器の間に変換器を配置する。両ＤＭＳトラック間には，ＤＭＳトラックと平行に共通内側グランドラインが配置され，その共通内側グランドラインは入力変換器のグランド端子と接続し，任意的に端部反射器とも接続する。
【００１１】
第２ＤＭＳトラックにおける出力変換器のグランド端子は第１ＤＭＳトラック側に向けて配置され，両ＤＭＳトラック間に配置された第２内側ラインと接続する。第２内側ラインは，グランドフリーであり，外部グランドポテンシャルとは接続していない。このようにして，出力変換器が接続部を介して外部グランドポテンシャルと間接的にグランド接続することを防ぎ，グランドポテンシャルによって生じ得る出力変換器のガルバニック接続の可能性を完全に排除する。
【００１２】
好適には，共通内部グランドラインは両側で，両方のトラックの間から外側へ導かれ，両方のトラック間の外側に配置された２個のグランド端子位置に接続する。ここに「グランド端子位置」とは，例えばボンディングパッド，グランドバンプ，ボンディングワイヤなど，外部グランドとの接続に適用可能な全ての構成部を意味する。しかし，両ＤＭＳトラック間におけるグランド端子位置は，共通内側グランドラインにおける対向端部に配置することも可能である。
【００１３】
変換器のグランド端子は，この場合には変換器の電極として機能し，該電極は，例えば２個の等しい大きさの信号がガルバニック接続によって互いに異なる極性に設定されて相殺し合う場合に信号を伝えず，そのため「グランド」の基準ポテンシャルと接続するか，又は仮想グランド上に配置されるものである。
【００１４】
共通内側グランドラインと接続ラインは，互いに垂直に配置されて交差する。交差域においては，好適には上部に配置された共通内側グランドラインと，下部を走る接続ラインとの間に，絶縁のため及びオーム抵抗による損失を避けるため，誘電体が配置される。
【００１５】
ＳＡＷフィルタは，上述したような，それぞれ６個の変換器を備える直列接続した両ＤＭＳトラック以外に更なるフィルタ素子を必要としないため，既知の解決策と比較して，所用のチップ面積が最小限となる。また両ＤＭＳトラック間の領域にグランド端子位置を配置しないため，更にチップ面積が極小化される。
【００１６】
共通内側グランドラインは，好適にはＤＭＳトラックの全長に亘って伸長し，接続ラインを通過する第１ＤＭＳトラックのグランドフローを両側に，特に両ＤＭＳトラックの間から外側に導く。このようにして，グランドフローの流れにより誘発された磁気モーメントが相殺され，グランドフローによって決定される両ＤＭＳトラックの磁気結合が低減される。
【００１７】
このフィルタは，機能性を完全にするため両ＤＭＳトラックに対して直列接続しなければならない更なる共振器を必要とせず，僅かな挿入損失下で良好な平衡性を示している。
【００１８】
一実施形態において，両ＤＭＳトラックはそれぞれ中央反射器を備え，各ＤＭＳトラックが大きさの等しい２個の半トラック部に分割され，各半トラック部には少なくともそれぞれ３個又は４個の変換器を配置する。中央反射器によって，各ＤＭＳトラックは電気的に並列接続する半トラック部に分割される。その半トラック部は，入力側である第１ＤＭＳトラックにおいて既に，第２ＤＭＳトラックの平衡ポートに向けて平衡信号を導くことが可能である。
【００１９】
両ＤＭＳトラックにおける各半トラック部では，２個の接続変換器の間に入力変換器又は出力変換器が配置される。入力変換器が４個である場合，入力変換器は接続変換器と交互に配置される。指端子配列は，半トラック部における両方の接続変換器と接続する接続ラインが，フィルタ機能時に互いに１８０度の位相差を示すよう配置されるため，第２ＤＭＳトラックの対応する半トラック部と差動モードで結合する。
【００２０】
更に指端子配列は，４個の接続ラインのうち中央にある両方の接続ラインが互いに差動モードで作動するよう配置され，直に隣接する全ての接続ラインの間を差動モードとする。これにより，差動モードで作動するよう隣接配置された接続変換器のグランドフローも，グランド側で逆位相となるため，ガルバニック接続されている限り，互いに相殺し合うことになる。正のポテンシャルに対して作用するグランドは，負のポテンシャルに対して接続されたグランドとは異なる電流フローに影響を及ぼす。このような「異なる」グランドポテンシャルが直接に接続する場合，電流強度が同じである場合にはチップ上のグランド端子内部で既にグランドフローが完全に相殺し合い，さもなければフィルタの入力部と出力部の間で不所望な接続を生じさせることとなるグランドフローが，ハウジングに流れることはない。
【００２１】
一実施形態において，第１トラックにおける両方の内側接続変換器のグランド端子は，第２ＤＭＳトラックから離れて不平衡ポート側を向いた箇所で，第１中央ラインにより互いに接続される。この第１中央ラインは，グランドフリーとすることが可能であり，外部のグランドポテンシャルと直接に接続する必要はない。
【００２２】
良好な平衡性を達成するため，中央反射器は第１中央ラインに接続する。更に中央反射器は，内側の共通グランドラインと接続し，第１中央ラインは第１ＤＭＳトラックの中央反射器により，外部のグランドポテンシャルと電気的に接続することになる。
【００２３】
本発明の更なる実施形態において，第２ＤＭＳトラックにおける両方の内側接続変換器のグランド端子は第１トラックから平衡ポート側を向いた箇所で，第２中央ラインにより互いに接続される。その第２中央ラインにおいては，同様に逆向きのグランドフローが相殺し合うため，第２中央ラインは仮想グランド上に配置する。第２ＤＭＳトラックにおける中央反射器は，第２中央ラインに接続可能である。
【００２４】
一実施形態においては，第２中央ラインが外部のグランドポテンシャルと接続する。
【００２５】
本発明の更なる実施形態においては，各接続変換器の両方の外側指が第１及び第２トラック上でグランドポテンシャル又は仮想グランド上に配置されるため，両トラック間の静電シールドが改善され，選択性及びアイソレーション特性も向上する。通常の場合，電極指は交互にそれぞれの変換器の一方又は両方の端子と接続するため，接続変換器においては必要となる電極指が一様でない。グランドポテンシャル又は仮想グランドと接続する電極指は，隣接する変換器における隣接する電極指と共に相互作用をより低減するため，隣接する２個の変換器間の結合が低減する。このため，入力変換器と接続変換器の間，及び接続変換器と出力変換器の間で静電結合が弱まる。
【００２６】
入力側と出力側の間の更なる静電シールドは，両ＤＭＳトラック間に配置された共通内側グランドラインにより構成され，両側で両ＤＭＳトラックの全長に亘ってシールド効果を発現する。即ち，共通内側グランドラインは静電シールドバーを構成することになる。
【００２７】
両ＤＭＳトラック間に位置する第２内側ラインは，２本の接続ラインと交差する。その交差域においては，互いに交差する両ラインが，同様にその間に配置された誘電体によって分割される。誘電体はそれぞれ１面が構成化され，その面は同一の接続ラインにおける２箇所の交差域を，第２の内側グランドラインと及び共通内側グランドラインによって覆い，そこで両方の交差ラインを互いに絶縁させる。
【００２８】
更なる実施形態においては，両ＤＭＳトラックの端部を越えた外側グランドラインを備え，該外側グランドラインは，共通内側グランドラインの延長部分にあるグランド端子位置を，端部反射器の周囲で各ＤＭＳトラックの外側接続変換器のグランド端子と接続する。従って端部反射器は，内側の共通グランドライン及び外側のグランドラインの両方と接続する。
【００２９】
更なる実施形態において，第１及び第２ＤＭＳトラックにおけるグランド端子は，圧電チップ上で互いに分離可能である。この場合，第１ＤＭＳトラックの変換器及び反射器の全てのグランド端子は，第２ＤＭＳトラックのグランド端子から分離され，即ち別のグランド端子位置で接続されるか，又は仮想グランド上に配置される。追加された２個のグランド端子位置により，第２ＤＭＳトラックにおける両方の端部反射器及び接続変換器をグランドに接続可能である。しかし，第２ＤＭＳトラックにおける両方の端部反射器を，第２外側グランドラインによって互いに接続し，第２外側グランドラインを１箇所の中央グランド端子位置に接続することも可能であり，該中央グランド端子位置は，第１ＤＭＳトラックのグランド端子に対して絶縁される。
【００３０】
第２ＤＭＳトラックにおける中央反射器は，第２中央ラインと接続する。しかし，好適には，該中央反射器は第２内側ラインとは接続せず，それによって内側の接続ラインのグランド端子と分離され，該グランド端子に対してより良好な状態で絶縁される。
【００３１】
伝播経路の交差部，例えば共通内側グランドライン及び第二内側ラインと接続ラインとの交差部などは，２層構造のメタライジング部として構成することができる。より薄い第１メタライジング層においては，電極指，変換器のバスバー，反射器，接続ライン，共通中央ライン及び第２中央ラインの一部，第１及び／又は第２外部グランドラインを実装する。第１メタライジング層上に配置するより厚い第２メタライジング層においては，少なくともライン構造で欠けている部分と，必要に応じて変換器の電気端子バーとを実装する。少なくとも，既に第１メタライジング層上に形成されている構造の一部の上に，第１メタライジング層の補強を目的として第２メタライジング層を施し，オーム抵抗を低減することも可能である。互いに交差する両方のラインのそれぞれの絶縁が必要となる交差域には誘電体を配置し，その誘電体は特に有機ポリマーが適当であるが，無機ポリマーも適用可能である。誘電体は好適には長方形の層構造とし，それぞれの交差域に配置する。
【００３２】
第１及び第２メタライジング層間で電気的な接続が必要とされる部位においては，第１及び第２メタライジング層の伝播経路間で十分に広い接触面積をとる。これにより，遷移抵抗を低減し，ＳＡＷフィルタにおける損失を減少させる。両ＤＭＳトラックの間隔を最小限とするため，接続ラインは第１メタライジング層上のみに実装可能であり，これにより低オーム抵抗接続のために必要とされる第１及び第２メタライジング層間の接触面積を節減することができる。
【００３３】
第１及び第２メタライジング層の素材及び構成は，完全に同一とすることができる。しかし，第１と第２メタライジング層を異なる素材又は構成で形成することも可能である。特に，第１メタライジング層の最上層と第２メタライジング層の最下層に関しては，移行抵抗がより低減するよう選択する。
【００３４】
ＳＡＷフィルタの更なる実施形態は，電極指の本数及び配置に関するものである。この場合，特に，接続ラインにより互いに接続する接続変換器は，等しい本数の電極指を備える。第１中央ライン又は第２中央ラインにより互いに接続する両ＤＭＳトラックの内側接続変換器は，それぞれ等しい本数の電極指を備えることが可能である。内側及び外側接続変換器間では，電極指の本数を異ならせることができる。好適には，内側接続変換器における電極指の本数を，各ＤＭＳトラックにおける他の変換器との対比において減少させる。出力変換器における変換器指の本数は，入力変換器との対比において増加させることが可能である。
【００３５】
２個の変換器の間又は１個の変換器と１個の反射器の間では，１個のＤＭＳフィルタにおいて，技術的要件から異なる指間隔が決定される。このように，通常の間隔から逸脱した指／指間隔が突然現出することに起因する音響的損失及びそれに伴なう電気的損失を低減するため，それぞれ隣り合う変換器又は反射器を備える末端の電極指の複数本が，移行部を構成することとする。該移行部において，この末端の電極指の間，又は末端の反射ストライプの間の電極指又は反射ストライプの間隔及び／又は幅が異なり，通常の指／指間隔から逸脱した差分が，移行域における全ての指／指間隔に分散される。移行域において，隣接する２個の変換器の末端の指においては，変換器又はフィルタの中心周波数の前の基準周波数を定義する通常の電極指間隔に対して，指間隔を減少させる。外側反射器と接続変換器の間で互いに備える移行域においては，反射ストライプの間隔及び／又は幅，あるいは各反射器又は各変換器における指の間隔及び／又は幅を，反射器又は変換器における通常の指との対比において拡大させる。
【００３６】
この場合，それぞれの移行域は２本〜１５本，好適には４本〜９本の電極指又は反射ストライブを備えることとする。
【００３７】
異なる移行域を異なる大きさで構成すること，即ち末端の電極指又は反射ストライプの数を異ならせて伸長させることが好適である。１個の変換器から隣接する変換器への移行部，又は１個の変換器から隣接する反射器への移行部においては，それぞれ１個の移行域のみが備わり，その移行域は，変換器及び反射器から選択された１個の素子における末端の電極指又は反射ストライプを含むこととする。
【００３８】
１個の反射器と１個の変換器との間の移行域において，電極指間隔又は反射ストライプ間隔は通常値に対して５％まで変化させることが可能である。２個の変換器の間の移行域においては，電極指間隔は通常値に対して１０％まで変化させることが可能である。
【００３９】
何れの場合においても，移行域に存在する電極指及び反射ストライプの本数，即ち電極指及び反射ストライプの本数が変更されている状態での電極指及び反射ストライプの本数は，各変換器又は反射器における電極指又は反射ストライプの全本数の半分を下回ることとする。
【００４０】
更なる実施形態においては，反射ストライプの間隔は電極指の間隔よりも広く，例えば３．５％を上限として電極指の間隔を上回る。
【００４１】
両方の内側接続変換器の指本数は，外側接続変換器の指本数よりも２本程度少なくすることが可能である。両方の出力変換器の指本数は，両方の入力変換器よりも４本程度増やすことができる。
【００４２】
更なる実施形態においては，入力側と出力側の両者が平衡作動するようフィルタを構成することができる。このために原則的に必要な構成は，不平衡／平衡作動型フィルタにおいて第１ＤＭＳトラックの入力変換器のうちの１個を傾斜させること，即ち軸を両方のＤＭＳトラックに対して平行に反転させることだけである。この方法により，反転された変換器の各電極指の極性が逆極性となる。
【００４３】
以下，本発明を図示の実施形態に基づいて更に詳説する。図面において，変換器及び反射器は正寸ではなく，単に概略的に示されている。即ち，両ＤＭＳトラックの間隔やストライプ幅などの寸法は，異なる尺度で表すことができる。
【図面の簡単な説明】
【００４４】
【図１】本発明の第１実施形態であるＳＡＷフィルタの概略図である。
【図２Ａ】図２Ａは，本発明に係る受信フィルタと既知の受信フィルタの通過帯域特性の比較グラフであり，両フィルタはデュプレクサの一部分として機能する。
【図２Ｂ】図２Ｂは，本発明に係る受信フィルタと既知の受信フィルタの通過帯域特性の比較グラフであり，両フィルタはデュプレクサの一部分として機能する。
【図２Ｃ】図２Ｃは，本発明による受信フィルタを備えたデュプレクサと，既知の受信フィルタを備えたデュプレクサの，差動モードアイソレーション特性の比較グラフである。
【図２Ｄ】図２Ｄは，本発明による受信フィルタを備えたデュプレクサと，既知の受信フィルタを備えたデュプレクサの，コモンモードアイソレーション特性の比較グラフである。
【図２Ｅ】図２Ｅは，本発明に係る受信フィルタを備えたデュプレクサと，既知の受信フィルタを備えたデュプレクサにおける，アンテナとデュプレクサのＲｘ出力部間のコモンモード抑圧特性の比較グラフである。
【図２Ｆ】図２Ｆは，平衡ポートにおける振幅平衡性を示すグラフである。
【図２Ｇ】図２Ｇは，平衡ポートにおける位相平衡性を示すグラフである。
【図３Ａ】１の実施形態に係る図２Ａ〜図２Ｇと同一のパラメータと，第１の実施形態に対して異ならせたパラメータとの比較グラフである。
【図３Ｂ】１の実施形態に係る図２Ａ〜図２Ｇと同一のパラメータと，第１の実施形態に対して異ならせたパラメータとの比較グラフである。
【図３Ｃ】１の実施形態に係る図２Ａ〜図２Ｇと同一のパラメータと，第１の実施形態に対して異ならせたパラメータとの比較グラフである。
【図３Ｄ】１の実施形態に係る図２Ａ〜図２Ｇと同一のパラメータと，第１の実施形態に対して異ならせたパラメータとの比較グラフである。
【図３Ｅ】１の実施形態に係る図２Ａ〜図２Ｇと同一のパラメータと，第１の実施形態に対して異ならせたパラメータとの比較グラフである。
【図３Ｆ】１の実施形態に係る図２Ａ〜図２Ｇと同一のパラメータと，第１の実施形態に対して異ならせたパラメータとの比較グラフである。
【図３Ｇ】１の実施形態に係る図２Ａ〜図２Ｇと同一のパラメータと，第１の実施形態に対して異ならせたパラメータとの比較グラフである。
【発明を実施するための形態】
【００４５】
図１は，本発明に係るＳＡＷフィルタの実施形態を示す概略図である。ＳＡＷフィルタは第１トラックＳＰ１を有し，該第１トラックＳＰ１上には，変換器Ｗ１１から変換器Ｗ１６の計６個が，第１及び第２端部反射器Ｒ１１とＲ１３の間に配置される。中央反射器Ｒ１２は第１ＤＭＳトラックを２個の半トラック部に分割し，半トラック部のそれぞれに３個の変換器が配置される。
【００４６】
第１ＤＭＳトラックＳＰ１と平行に第２ＤＭＳトラックＳＰ２が配置され，該第２ＤＭＳトラックＳＰ２は，変換器及び反射器配置の点で原則的に第１トラックＳＰ１と同様の構成を有する。この観点から，第２ＤＭＳトラックＳＰ２は，例えば第１ＤＭＳトラックＳＰ１に対して鏡像対称に構成することが可能であり，この場合の対称要素として両トラック間に存在する仮想鏡面を用いることができる。しかし，この対称性は個々の変換器には適用されず，個々の変換器の構成は両トラック間で異ならせることが可能である。
【００４７】
両方のＤＭＳトラックに，異なる個数の変換器を配置することもできる。特に第１ＤＭＳトラック上の入力変換器の個数は，第２ＤＭＳトラック上の入力変換器の個数と異なってもよい。
【００４８】
第１ＤＭＳトラックＳＰ１の各半トラック部上では，３個の変換器のうちそれぞれ中央の変換器が，入力変換器Ｗ１２，Ｗ１５として機能する。両方の入力変換器は平行に配置され，ＳＡＷフィルタの第１ポートＰ１の不平衡端子と接続する。第１ＤＭＳトラックの左半トラック部上では，２個の接続変換器Ｗ１１とＷ１３の間に入力変換器Ｗ１２を配置する。第２入力変換器Ｗ１５は，第１ＤＭＳトラックＳＰ１の右側の半トラック部上で，２個の接続変換器Ｗ１４とＷ１６の間に配置する。
【００４９】
第２ＤＭＳトラックＳＰ２上では同様に，各半トラック部における中央の変換器が出力変換器Ｗ２２，Ｗ２５として機能し，出力変換器Ｗ２２，Ｗ２５は，平衡ポートＰ２の２個の端子と接続する。第２ＤＭＳトラックＳＰ２の左半トラック部上の出力変換器Ｗ２２は，２個の接続変換器Ｗ２１とＷ２３の間に配置し，一方右半トラック部上の出力変換器Ｗ２５は，両方の接続変換器Ｗ２４，Ｗ２６の間に配置する。
【００５０】
両ＤＭＳトラックＳＰ１，ＳＰ２は，４本の接続ラインＫＬ１からＫＬ４によって互いに直列接続する。各接続ラインは，第１トラック上の接続変換器を，第２トラック上の対応する接続変換器と接続する。例えば，第１接続ラインＫＬ１は，第１ＤＭＳトラックＳＰ１の左半トラック部の左の接続変換器Ｗ１１を，第２ＤＭＳトラックＳＰ２の左半トラック部の左の接続変換器Ｗ２１と接続する。残りの変換器についても，対応するペア同士である結合変換器Ｗ１３とＷ２３，Ｗ１４とＷ２４，Ｗ１６とＷ２６が接続する。
【００５１】
両方の入力変換器Ｗ１２，Ｗ１５のグランド端子は，第２ＤＭＳトラックＳＰ２に向かい，両方のＤＭＳトラックの間に配置された共通内側グランドラインＧＩＬによって接続される。共通内側グランドラインＧＩＬは両方のＤＭＳトラックと平行して配置され，ＤＭＳトラック間の領域からその両側で外側へ至る。共通内側グランドラインＧＩＬは，両側でそれぞれグランド端子ＭＰ１，ＭＰ２と接続する。更に，第１ＤＭＳトラックの中央反射器Ｒ１２と両方の端部反射器Ｒ１１，Ｒ１３も，共通内側グランドラインＧＩＬと接続する。
【００５２】
端部反射器は，各ＤＭＳトラックの長手方向端部を構成する。両側の長手方向端部で，各端部反射器の周囲を回る２本の外側グランドラインＭＬＡ１，ＭＬＡ２によって，両方の外側接続変換器Ｗ１１，Ｗ１６が共通内側グランドラインＧＩＬと接続し，そこに接続しているグランド端子ＭＰ１，ＭＰ２とも接続する。更に外側グランドラインＭＬＡ１，ＭＬＡ２は下に伸長し，第２ＤＭＳトラックＳＰ２の長手方向端部の周囲を回り，第２ＤＭＳトラックＳＰ２の両方の末端接続変換器Ｗ２１，Ｗ２６と接続する。このようにして，共通内側グランドラインＧＩＬと両方の外側グランドラインＭＬＡ１，ＭＬＡ２とが接続することで，第１と第２のＤＭＳトラック間の静電シールド，及びＳＡＷフィルタの両方の長手方向端部の間の静電シールドが実現される。
【００５３】
第１ＤＭＳトラックＳＰ１の両方の内側接続変換器Ｗ１３，Ｗ１４は，第１中央ラインＭＬ１によって互いに接続する。第１ＤＭＳトラックＳＰ１の中央反射器Ｒ１２も，該第１中央ラインＭＬ１と接続する。更に中央反射器Ｒ１２は共通内側グランドラインＧＩＬとも接続する。これによって，両方の内側接続変換器Ｗ１３，Ｗ１４は，両方のグランド端子ＭＰ１，ＭＰ２を介して外部のグランドポテンシャルと接続する。
【００５４】
基板上で下側に配置した４本の各接続ラインＫＬ１〜ＫＬ４と，該接続ラインＫＬ１〜ＫＬ４に対して横向きにその上側で延在させた共通内側グランドラインＧＩＬとの間の交差域に誘電体Ｄ１〜Ｄ４の各構成層を配置し，誘電体同士は互いに交差するラインにより絶縁する。誘電体の一例としては，ＢＣＢ（ベンゾシクロブテン）が挙げられる。
【００５５】
第２ＤＭＳトラックＳＰ２においては，両方の出力変換器Ｗ２２，Ｓ２５のグランド端子が第２内側ラインＩＬ２と接続する。第２内側ラインＩＬ２は，両方の中央接続ラインＫＬ２，ＫＬ３と交差し，中央の接続ラインＫＬ２，ＫＬ３に対して，同様に誘電体によって絶縁される。更に好適には，誘電体は第２及び第３の接続ラインＫＬ２，ＫＬ３上を伸長するため，誘電体の表面が両方の交差域上で，接続ラインＫＬの第１及び第２メタライジング層，及び第２内側ラインＩＬ２である共通内側グランドラインＧＩＬに対して同様に絶縁効果を発揮できる。第２内側ラインＩＬ２は外部のグランドポテンシャルとは接続しておらず，グランドフリーであり仮想グランドとなる。
【００５６】
第２ＤＭＳトラックＳＰ２の両方の内側接続変換器Ｗ２３，Ｗ２４のグランド端子は，第２中央ラインＭＬ２を介して互いに接続し，第２中央ラインＭＬ２には，第２ＤＭＳトラックの中央反射器Ｒ２２とも接続可能である。第２中央ラインＭＬ２は同様にフロートさせることも可能であり，又は外部のグランドポテンシャルとも接続できる。
【００５７】
図１においては，外部のグランドポテンシャルと接続する変換器及び反射器は全て黒で示す。信号を伝える変換器構成は灰色で，一方仮想グランド接続する変換器構成は色を付けずに白で示す。図において，各変換器の電極指は実際よりもはるかに個数が少なく，反射ストライプの個数も実際より少ない。しかし各反射器のそれぞれの末端指の極性は，正しく図示されており，配置全体において対応する極性と指端子配列が明らかになる。例えば，第１トラックの接続変換器Ｗ１１，Ｗ１３，Ｗ１４及びＷ１６は，それぞれ最も外側に２個の電極指を備え，最も外側の該電極指は外部のグランドポテンシャルと接続する。こうして，入力変換器と第２トラックと接続する接続変換器との間に，静電シールドが与えられる。
【００５８】
一方，両方の入力変換器Ｗ１２とＷ１５は平行して第１ポートＰ１と接続して同じポテンシャル上に並び，対応する指の配置によって隣り合う２個の接続ラインそれぞれの間で，位相が１８０度反転する。これにより，例えば両方の中央接続変換器Ｗ１３とＷ１４へのグランドフローが，第１中央ラインＭＬ１でのポテンシャルが異なるために抹消され，中央反射器Ｒ１２を介して外部のグランド端子へと至るフローが最小になるという利点が生じる。
【００５９】
両方の入力変換器のグランド端子が結合することで発生するグランドフローは，位相が等しい。しかしグランドフローは，ＳＡＷフィルタの長手方向の両端部に向って平衡に導かれ，平衡性が高いため，実際にはグランド端子ＭＰ１，ＭＰ２へと至る２本の等しいサイズのグランドフローとなる。従って，フローと結合する電磁場は異なる極性を示し，互いに相殺し合う。
【００６０】
本発明に係るＳＡＷフィルタの異なる伝播経路の交差域においては，２層の異なるメタライジング層が必要であり，該メタライジング層は互いに時間差をおいて形成される。両方のメタライジング層を形成する間にも，交差域に誘電体を配置しなければならない。
【００６１】
第１メタライジング層は，両方のＤＭＳトラックの全ての素子，つまり反射器と変換器のためのメタライジングを必ず含むこととする。第１メタライジング層上には，接続ラインＫＬ１〜ＫＬ４が配置される。従来通りに塗布，構成して第一メタライジング層を形成した後，例えばリフティングテクニックなどによって，少なくとも該交差域に誘電体Ｄ１〜Ｄ４それぞれの構成層を形成する。
【００６２】
続いて，少なくとも共通内側グランドラインＧＩＬ及び第２内側ラインＩＬ２を含む第２メタライジング層が形成される。該共通内側グランドラインＧＩＬ及び第２内側ラインＩＬ２は，接続ライン又は接続ラインの一部と誘電体上で交差する。その他の全てのラインは，第１メタライジング層又は第２メタライジング層の何れかを選択し，共に形成できる。両方のメタライジング層からメタライジング部を構成し，ライン抵抗を避けることも可能である。第１から第２のメタライジングへの移行部を可及的に低減する必要があることを念頭に，第１及び第２メタライジング層を配置することが好ましい。該移行部は潜在的にオーム抵抗が高く，そのために損失が発生する可能性が高い。オーム抵抗が低い断面を十分にとって第１及び第２メタライジング層を接続し，十分に広い面積を確保する。接続ラインを第１メタライジング層上にのみ配置し，一方両方のメタライジング層を共通内側グランドラインＧＩＬ及び第２内側ラインＩＬ２に適用することで，オーム損失を抑えつつ，第１と第２ＤＭＳトラックの間隔が最小限になる。
【００６３】
第１メタライジング層から第２メタライジング層への移行部を全て，変換器又は反射器のバスバー域内に配置するのが好適である。該バスバー域においては，オーム抵抗が低い移行部を実現可能な，より広範な面積が得られるためである。以上の点から，両方の外側グランドラインＭＬＡ１及びＭＬＡ２，共通内側グランドラインＧＩＬ及び両方の外側グランドラインＭＬＡと接続するライン部分を，第２メタライジング層又は両方のメタライジング層上に配置する。
【００６４】
各ＤＭＳトラックにおいては，原則的に全ての変換器に対してピッチが等しく，該ピッチによって変換器からの刺激を受ける表面波の中心周波数が決定される。中心周波数は，そうした変換器と共に表面波から分離された電気信号の中央周波数である。通常，変換器の全ての電極指は，こうした中心周波数に対応した共通のピッチを示す。電極指の個数が異なるため，相同域にある，つまり等しい構成であり移行域にない変換器の領域にある指周期は，変換器が異なる場合，異なるよう選択される。
【００６５】
しかしＤＭＳフィルタの機能上，全ての変換器を同じラスタ上に配置しているわけではなく，互いにシフトし合っているため，互いに隣り合う変換器の，両方の最も外側の指の間に間隔が生じ，その間隔が前述のピッチから大きく逸脱する可能性がある。これより非相同性が現出し，損失につながりかねない。こうした状態を緩和するため，互いに変換器が隣り合う移行部においては，電極指間隔（ピッチ）を調整し，変換器が移行域において全ての電極指間隔に割り当てられるようにする。このため２個の変換器間では，移行域の電極指間隔が狭まる。移行域においては，末端の変換器指の数は，２個〜１５個となる。
【００６６】
反射器，好適には末端の反射器と，その反射器と直に隣接する変換器との間の移行域においても，ピッチを同様に変化させることが可能であり，特にリフトアップ形成が可能である。
【００６７】
好適には，移行域が異なる大きさで選択され，各ＤＭＳトラックＳＰ全体で非対称に分散配置される。更に，２個の隣り合う変換器の間，又は１個の変換器と，その変換器と直に隣り合う反射器の間の移行部は，両エレメントのうちの１個が移行域を備えることとし，それに対してもう一方のエレメントは，末端指が不変のピッチを備えるよう配置することが可能である。
【００６８】
しかし前述に係らず，反射器間のピッチを通常のピッチに対して，例えば３．５パーセント程度を上限として増加させることが好適である。
【００６９】
両方の内側に配置された接続変換器（第１トラックのＷ１３及びＷ１４，又は第２トラックのＷ２３及びＷ２４）の指数は，外側に配置された接続変換器の本数よりも少なくすることが可能であり，例えば指２本を減少できる。両方の出力変換器の電極指の本数は，両方の入力変換器と比較し，例えば４本増加させることが可能である。
【００７０】
図１に例示した，本発明に係るＳＡＷフィルタは，受信フィルタとして好適であり，特にデュプレクサのＲＸフィルタに適している。更に，第１不平衡ポートＰ１はアンテナ端子と接続する。好適には，アンテナ端子と第１ポートの間に更にキャパシタを接続することとし，該キャパシタは例えばインターデジタル変換器として構成できる。これによって，好適にもＤＭＳトラックの中央周波数から大きく逸脱したピッチが示され，ＤＭＳトラックの変換器に対する指配列をツイストできる。
【００７１】
図２Ａは本発明に係るフィルタの通過帯域特性と，１個のＤＭＳトラックのみと追加の共振器を備えた既知の受信フィルタの通過帯域特性とを比較したグラフであり，両方のフィルタはデュプレクサの受信フィルタとして機能する。本発明に係るフィルタの通過帯域特性曲線は実線で，一方既知のフィルタについては点線で表す。図２Ａは，特に通過帯域から下の低周波数領域での選択性が向上したことを示している。
【００７２】
図２Ｂは，通過帯域の拡大グラフであり，既知のフィルタの通過帯域と再比較している。本発明に係るフィルタは，通過帯域でのリップルがより少なく，挿入損失がより低減されることが示される。
【００７３】
図２Ｃ，２Ｄ及び２Ｅにおいては，本発明に係る受信フィルタに関して，更なるパラメータである差動モードアイソレーション特性（図２Ｃ），コモンモードアイソレーション特性（図２Ｄ）及びコモンモード抑制特性（図２Ｅ）を示す。同図から，これらの特性において本発明に係るフィルタが既知のフィルタと比較して改善されていることが明らかであり，特に選択性が向上している。
【００７４】
図２Ｆは，第２平衡ポートにおいて決定された出力信号の平衡度を示す。周波数に対して作成された，両方の端子の間の振幅差が示され，本発明に係るフィルタの振幅差は，既知のフィルタと比較して向上している。
【００７５】
図２Ｇは，本発明に係るフィルタの第２ポートＰ２における位相平衡度を示し，第２ポートの両方の端子間の位相差が，周波数に対して示される。図２Ｇも高い位相平衡度を示しており，ほぼ全ての通過帯域において，位相差がゼロライン域内を動いている。
【００７６】
第２ポートにおいて平衡度が高いため，特にＴＸバンドにおいて６０ｄＢを超えるＴＸフィルタに対し，とりわけ高い差動モードアイソレーション特性（図２Ｃ参照）が生じる。コモンモードアイソレーション特性に関しても，本発明に係るフィルタのコモンモード部分と，例えばデュプレクサのＴＸフィルタなどの隣り合うフィルタ間の接続部を反映するコモンモードアイソレーション特性は，既知のフィルタと比較して顕著に改善されており，例えば６０ｄＢを超えている（図２Ｄ参照）。
【００７７】
図３Ａ〜３Ｇは，図２Ａ〜２Ｇと同様のパラメータにおいて，異なる変更実施形態に対する比較を示す。図１に示す実施形態（図において実線で示す）と，共通内側グランドラインＧＩＬと第２内側ラインＩＬ２が互いにガルバニック接続した第１変更実施形態（均等な点線で示した曲線で示す）とを比較する。第２変更実施形態においては，共通内側グランドラインＧＩＬが中央部でガルバニック分離しており，両方の出力変換器Ｗ１２，Ｗ１５のグランド端子が，異なるグランド端子ＭＰ１，ＭＰ２と接続する。第２変更実施例の特性曲線は，グラフにおいて長さの異なる点を組み合わせた点線で示される。
【００７８】
図３Ａは，図１に示した第１実施形態が，上述の第１，第２変更実施形態に対し，低周波数領域におけるアイソレーション特性がやや改善されていることを示している。図３Ｃ〜３Ｅに示されるように，第１実施形態のアイソレーション特性は，第１，第２変更実施形態に比較して，部分的にではあるが２０ｄＢを超えて著しく改善されている。第２ポートの平衡性に関しても，図３Ｆ，３Ｇが示すように，第１実施形態が最も優れている。
【００７９】
本発明に係るフィルタの必要面積は，既知のＲＸフィルタと比較し減少している。グランド端子ＭＰがＤＭＳトラック域の外側に位置し，横方向に追加の面積が不要である場合，特に横方向，つまりＤＭＳトラックの長手方向の伸長と垂直に交わる方向の必要面積が減少する。通常，長手方向にはチップ表面により広いスペースがあるため，本発明に係るＳＡＷフィルタの「外部」に位置するグランド端子には，実際には追加のチップ表面積は不要となる。
【００８０】
本発明は，図１に示された実施形態に限定されることはない。該実施形態においては，好適な配置を全て組み合わせて示しているが，それら全てが共に，本発明に係るＳＡＷフィルタに不可欠というわけではない。従って本発明に該当するフィルタであっても，図１に示されたよりも少ない特徴を示す場合があり得る。
【符号の説明】
【００８１】
2013526808.tif 000003
【図１】
2013526808.tif 000004
【図２Ａ】
2013526808.tif 000005
【図２Ｂ】
2013526808.tif 000006
【図２Ｃ】
2013526808.tif 000007
【図２Ｄ】
2013526808.tif 000008
【図２Ｅ】
2013526808.tif 000009
【図２Ｆ】
2013526808.tif 000010
【図２Ｇ】
2013526808.tif 000011
【図３Ａ】
2013526808.tif 000012
【図３Ｂ】
2013526808.tif 000013
【図３Ｃ】
2013526808.tif 000014
【図３Ｄ】
2013526808.tif 000015
【図３Ｅ】
2013526808.tif 000016
【図３Ｆ】
2013526808.tif 000017
【図３Ｇ】
2013526808.tif 000018
【国際調査報告】
2013526808.tif 000019
2013526808.tif 000020
2013526808.tif 000021
2013526808.tif 000022